(57)【要約】  ピン（１０）の雄ねじ部（１１）の荷重フランク面（１５）、及びボックス（２０）の雌ねじ部（２１）の荷重フランク面（２４）の各フランク角θが０°未満である。雌ねじ部（２１）は、シール面（２６）に近い側から順に、不完全ねじ部領域（２１ｂ）及び完全ねじ部領域（２１ａ）に区分される。雌ねじ部（２１）のねじ谷底面（２３）が、両ねじ部領域（２１ａ、２１ｂ）の全域にわたり、同一のテーパ面上にある。不完全ねじ部領域（２１ｂ）は、長さがねじピッチの３倍以上であって、ねじ高さが完全ねじ部領域（２１ａ）のねじ高さよりも低い。締結状態において、各ショルダー面（１７、２７）が互いに接触し、各シール面（１６、２６）が互いに接触し、不完全ねじ部領域（２１ｂ）では、雄ねじ部（１１）のねじ谷底面（１３）と雌ねじ部（２１）のねじ山頂面（２２）との間に隙間が形成される。これにより、外圧に対する密封性能が維持され、内圧に対する密封性能が向上する。
2015105054.tif 000002
【特許請求の範囲】
【請求項１】
管状のピンと、管状のボックスとから構成され、前記ピンが前記ボックスにねじ込まれて前記ピンと前記ボックスが締結される鋼管用ねじ継手であって、
前記ピンは、先端側から順に、ショルダー面、シール面、及びテーパねじで台形ねじの雄ねじ部を備え、
前記ボックスは、前記ピンの前記ショルダー面に対応するショルダー面、前記ピンの前記シール面に対応するシール面、及び前記ピンの前記雄ねじ部に対応するテーパねじで台形ねじの雌ねじ部を備え、
前記雄ねじ部は、ねじ山頂面、ねじ谷底面、前記雌ねじ部へのねじ込みで先行する挿入フランク面、及びこの挿入フランク面とは反対側の荷重フランク面を備え、
前記雌ねじ部は、前記雄ねじ部の前記ねじ山頂面に対向するねじ谷底面、前記雄ねじ部の前記ねじ谷底面に対向するねじ山頂面、前記雄ねじ部の前記挿入フランク面に対向する挿入フランク面、及び前記雄ねじ部の前記荷重フランク面に対向する荷重フランク面を備え、
前記雄ねじ部の前記荷重フランク面、及び前記雌ねじ部の前記荷重フランク面の各フランク角が０°未満であり、
前記雌ねじ部は、前記ボックスの前記シール面に近い側から順に、不完全ねじ部領域、及び完全ねじ部領域に区分され、
前記雌ねじ部の前記ねじ谷底面が、前記不完全ねじ部領域及び前記完全ねじ部領域の全域にわたり、同一のテーパ面上にあり、
前記不完全ねじ部領域は、管軸に沿う長さが前記雌ねじ部のねじピッチの３倍以上であって、ねじ高さが前記完全ねじ部領域のねじ高さよりも低くなっており、
締結状態において、前記各ショルダー面が互いに接触し、前記各シール面が互いに接触し、前記完全ねじ部領域では、前記雄ねじ部の前記ねじ谷底面と前記雌ねじ部の前記ねじ山頂面が互いに接触するとともに、前記荷重フランク面が互いに接触し、前記不完全ねじ部領域では、前記雄ねじ部の前記ねじ谷底面と前記雌ねじ部の前記ねじ山頂面との間に隙間が形成されるとともに、前記荷重フランク面が互いに接触している、鋼管用ねじ継手。
【請求項２】
請求項１に記載の鋼管用ねじ継手において、
前記不完全ねじ部領域の管軸に沿う長さが前記雌ねじ部のねじピッチの８倍以下である、鋼管用ねじ継手。
【請求項３】
請求項１又は２に記載の鋼管用ねじ継手において、
前記不完全ねじ部領域の前記ねじ山頂面が、前記完全ねじ部領域と前記不完全ねじ部領域との境界から管軸に平行な円筒面上にあるか、又は前記境界から管軸に対して傾斜したテーパ面上にある、鋼管用ねじ継手。
【請求項４】
請求項１又は２に記載の鋼管用ねじ継手において、
前記不完全ねじ部領域の前記ねじ山頂面が、前記完全ねじ部領域と前記不完全ねじ部領域との境界から前記完全ねじ部領域の前記ねじ山頂面のねじテーパと平行なテーパ面上にある、鋼管用ねじ継手。
【請求項５】
請求項１〜４のいずれか１項に記載の鋼管用ねじ継手において、
前記雄ねじ部の前記ねじ山頂面が、前記雌ねじ部の前記不完全ねじ部領域及び前記完全ねじ部領域の全域にわたり、同一のテーパ面上にある、鋼管用ねじ継手。
【請求項６】
請求項１〜５のいずれか１項に記載の鋼管用ねじ継手において、
前記ピンは、前記シール面と前記ショルダー面との間にノーズ部を備え、
前記ボックスは、前記ピンの前記ノーズ部に対応する凹部を備え、
締結状態において、前記ピンの前記ノーズ部が前記ボックスの凹部に接触しない、鋼管用ねじ継手。
【請求項７】
請求項１〜６のいずれか１項に記載の鋼管用ねじ継手において、
前記ボックスは、前記不完全ねじ部領域と前記シール面との間に円周溝を備え、前記円周溝の管軸に沿う長さが前記雌ねじ部のねじピッチの３倍以下であり、
前記ピンの前記雄ねじ部が前記円周溝の領域まで形成されている、鋼管用ねじ継手。
【請求項８】
請求項１〜７のいずれか１項に記載の鋼管用ねじ継手において、
前記ピンは、前記雄ねじ部の後端部及び中間部のうちの少なくとも一方に外圧用シール面を備え、
前記ボックスは、前記ピンの前記外圧用シール面に対応する外圧用シール面を備える、鋼管用ねじ継手。
【発明の詳細な説明】
【技術分野】
【０００１】
本発明は、鋼管の連結に用いられるねじ継手に関する。
【背景技術】
【０００２】
油井、天然ガス井など（以下、総称して「油井」ともいう）においては、ケーシング、チュービングなどの油井管として、ねじ継手により順次連結された鋼管が使用される。この種の鋼管用ねじ継手の形式は、カップリング方式とインテグラル方式に大別される。【０００３】
カップリング方式の場合、連結対象の一対の管材のうち、一方の管材が鋼管であり、他方の管材がカップリングである。この場合、鋼管の両端部の外周に雄ねじ部が設けられ、カップリングの両端部の内周に雌ねじ部が設けられる。そして、鋼管の雄ねじ部がカップリングの雌ねじ部にねじ込まれ、これにより両者が締結されて連結される。インテグラル方式の場合、連結対象の一対の管材がともに鋼管であり、別個のカップリングを用いない。この場合、鋼管の一端部の外周に雄ねじ部が設けられ、他端部の内周に雌ねじ部が設けられる。そして、一方の鋼管の雄ねじ部が他方の鋼管の雌ねじ部にねじ込まれ、これにより両者が締結されて連結される。【０００４】
一般に、雄ねじ部が形成された管端部の継手部分は、雌ねじ部に挿入される要素を含むことから、ピンと称される。一方、雌ねじ部が形成された管端部の継手部分は、雄ねじ部を受け入れる要素を含むことから、ボックスと称される。これらのピンとボックスは、管材の端部であるため、いずれも管状である。【０００５】
図１は、鋼管用ねじ継手の全体構成の一例を示す断面図である。図１に例示するねじ継手は、カップリング方式のねじ継手であり、ピン１０とボックス２０とから構成される。【０００６】
ピン１０は、先端側から基部側に向けて順に、ショルダー面１７、シール面１６、及び雄ねじ部１１を備える。シール面１６はテーパ状である。厳密には、シール面１６は、先端側ほど直径が縮小した円錐台の周面に相当する面から成る形状、又はその円錐台の周面と、円弧などの曲線を管軸ＣＬ周りに回転して得られる回転体の周面に相当する面とを組み合わせた形状をしている。ショルダー面１７は、管軸ＣＬとは直角な径方向にほぼ沿った環状面であり、厳密には、その外周側がピン１０の先端側に向けて僅かに傾倒している。【０００７】
一方、ボックス２０は、基部側から先端側に向けて順に、ショルダー面２７、シール面２６、及び雌ねじ部２１を備える。これらのショルダー面２７、シール面２６、及び雌ねじ部２１は、それぞれ、ピン１０のショルダー面１７、シール面１６、及び雄ねじ部１１に対応して設けられている。ここでのピン１０の雄ねじ部１１とボックス２０の雌ねじ部２１は、互いに噛み合うテーパねじの台形ねじである。【０００８】
雄ねじ部１１と雌ねじ部２１は、互いのねじ込みを可能にし、締結状態では互いに嵌め合い密着し、締まりばめの状態となる。各シール面１６、２６は、ピン１０のねじ込みに伴って互いに接触し、締結状態では嵌め合い密着して締まりばめの状態となり、メタル−メタル接触によるシールを形成する。各ショルダー面１７、２７は、ボックス２０へのピン１０のねじ込みに伴って互いに接触して押し付けられ、ピン１０のねじ込みを制限するストッパの役割を担う。更に、各ショルダー面１７、２７は、締結状態では、ピン１０の雄ねじ部１１にねじ込み進行方向（前方）とは反対方向（後方）への荷重、いわゆるねじの締め付け軸力を付与する役割を担う。【０００９】
このような構成のねじ継手では、シール面１６、２６同士の嵌め合い密着によるシールにより、密封性能が確保される。【００１０】
近年、油井環境は、高深度化及び超深海化が進展し、これに伴い、高温・高圧で高腐食という過酷な環境となっている。このような過酷な環境では主に厚肉の鋼管が使用される。これらの鋼管を接続するねじ継手には、耐引張性能、耐圧縮性能等の継手強度が要求されることに加え、内圧及び外圧に対する優れた密封性能が要求される。【００１１】
ねじ継手の密封性能を高めるためには、シール面間に高い接触面圧を発生させればよい。従来、シール面の接触面圧を高めるため、シール面同士の締め代（干渉量）を大きくする方策が取られている。加えて、ねじの嵌め合い密着の作用がシール面の接触面圧の低下を来さないように、シール面に近い領域に限定してねじの嵌め合い密着を緩和する方策が取られている（例えば、米国特許２０６２４０７号公報（特許文献１）、特開平２−８０８８６号公報（特許文献２）、特開昭６２−１９６４８８号公報（特許文献３）、及び特開平１０−８９５５５号公報（特許文献４）参照）。【００１２】
図２は、特許文献１及び２に開示された従来の鋼管用ねじ継手におけるシール面付近の構成を示す断面図である。図２に示す従来のねじ継手では、締結状態において、ピン１０の雄ねじ部１１とボックス２０の雌ねじ部２１は、互いに嵌め合い密着し、雄ねじ部１１の荷重フランク面１５と雌ねじ部２１の荷重フランク面２４が接触して締め付け軸力を受けるとともに、雄ねじ部１１のねじ谷底面１３と雌ねじ部２１のねじ山頂面２２が接触している。ただし、シール面１６、２６に近いねじ部領域では、雄ねじ部１１のねじ谷底面１３と雌ねじ部２１のねじ山頂面２２との間に隙間が形成され、ねじの嵌め合い密着が緩和されている。【００１３】
ここでいう雄ねじ部１１の荷重フランク面１５は、ねじ山を構成する前後のフランク面のうち、雌ねじ部２１への雄ねじ部１１のねじ込みで先行する挿入フランク面１４とは反対側のフランク面のことである。雌ねじ部２１の荷重フランク面２４は、ねじ山を構成する前後のフランク面のうち、雄ねじ部１１の荷重フランク面１５と対向するフランク面のことである。【００１４】
図２に示すねじ継手によれば、シール面１６、２６に近いねじ部領域においてねじの嵌め合い密着が緩和されているので、内圧が負荷された場合、ピン１０のシール面１６に近いねじ部領域が内側から押し上げられて直径が拡大される様相になり、シール面１６、２６の接触面圧が増幅される。【００１５】
ここで、図２に示す従来のねじ継手では、荷重フランク面１５、２４の各フランク角θが、０°を超えている。フランク角θは、管軸ＣＬに直角な面とフランク面との成す角度のことである。ここでは、荷重フランク面のフランク角は時計回りを正とし、それとは逆に、挿入フランク面のフランク角は反時計回りを正とする。荷重フランク面のフランク角θが０°を超えていると、内圧が負荷された場合に、ピン１０の荷重フランク面１５にボックス２０の荷重フランク面２４からピン１０を押し下げる方向に反力が作用する。このため、ピン１０の十分な押し上げ効果を得ることができず、内圧負荷時にシール面１６、２６の接触面圧の増幅がそれほど期待できない。【００１６】
図３は、特許文献３に開示された従来の鋼管用ねじ継手におけるシール面付近の構成を示す断面図である。図３に示す従来のねじ継手でも、シール面１６、２６に近いねじ部領域において、雄ねじ部１１のねじ谷底面１３と雌ねじ部２１のねじ山頂面２２との間に隙間が形成され、ねじの嵌め合い密着が緩和されている。そして、荷重フランク面１５、２４の各フランク角θが、０°未満となっている。【００１７】
図３に示すねじ継手によれば、荷重フランク面のフランク角θが０°未満であるため、内圧負荷時に、ピン１０の荷重フランク面１５にピン１０を押し下げる方向に反力が作用しない。このため、ピン１０の十分な押し上げ効果を得ることができ、内圧負荷時にシール面１６、２６の接触面圧の増幅が期待できる。【００１８】
ここで、図３に示すねじ継手では、シール面１６、２６に近いねじ部領域において、ピン１０の雄ねじ部１１のねじ山頂面１２が急勾配のテーパ角度でピン１０の先端側ほど縮小し、ねじ高さが先端側ほど急激に低くなっている。このため、ピン１０の剛性が低下する。これにより、外圧に対するピン１０の変形抵抗が小さくなり、外圧負荷時に、シール面１６、２６の接触面圧が低くなる。加えて、ピン１０の雄ねじ部１１の先端側のねじ高さが低いため、ピン１０をボックス２０に挿入した際に、ねじの噛み合いが少なく、ピン１０の偏芯が大きくなる。これにより、ピン１０のボックス２０へのねじ込み開始時に、ピン１０の雄ねじ部１１のねじ山角部がボックス２０の雌ねじ部２１と局所的に接触する事態が生じる。この局所的な接触部分で面圧が高くなることから、焼付きが発生し易い。【００１９】
更に、図３に示すねじ継手では、ボックス２０の雌ねじ部２１のねじ谷底面２３のテーパ角度が変化している。このため、加工が複雑になり、加工時間が増加したり、工具寿命が低下することから、製造コストが上昇するという問題もある。【００２０】
これらの図２及び図３に示すねじ継手は、いずれも、シール面に近いねじ部領域において、雄ねじ部のねじ谷底面と雌ねじ部のねじ山頂面との間に隙間を形成することにより、ねじの嵌め合い密着の緩和を図っている。それ以外に、ねじの嵌め合い密着をシール面に近い領域で緩和する方策としては、特許文献４に開示されるように、ボックスの雌ねじ部とシール面との間に円周溝（グルーブ）を設ける方策がある。【００２１】
しかし、特許文献４に開示されるねじ継手では、ボックスへの円周溝の設置により、シール面に近い領域でねじの噛み合いが減少する。このため、外圧が負荷されたときに、ピンが縮径し易くなり、外圧に対する密封性能が低下する。
【先行技術文献】
【特許文献】
【００２２】
【特許文献１】米国特許２０６２４０７号公報
【特許文献２】特開平２−８０８８６号公報
【特許文献３】特開昭６２−１９６４８８号公報
【特許文献４】特開平１０−８９５５５号公報
【発明の概要】
【発明が解決しようとする課題】
【００２３】
上述のとおり、従来のねじ継手は、締結状態でのシール面の接触面圧のみを考慮したものに過ぎない。すなわち、内圧及び外圧が作用した場合の接触面圧の変化について十分に考慮されていない。【００２４】
本発明の目的は、下記の特性を有する鋼管用ねじ継手を提供することである：
外圧に対するシールの密封性能を維持しつつ、内圧に対するシールの密封性能を向上させること。
【課題を解決するための手段】
【００２５】
本発明の一実施形態による鋼管用ねじ継手は、管状のピンと、管状のボックスとから構成され、前記ピンが前記ボックスにねじ込まれて前記ピンと前記ボックスが締結される鋼管用ねじ継手である。
前記ピンは、先端側から順に、ショルダー面、シール面、及びテーパねじで台形ねじの雄ねじ部を備える。
前記ボックスは、前記ピンの前記ショルダー面に対応するショルダー面、前記ピンの前記シール面に対応するシール面、及び前記ピンの前記雄ねじ部に対応するテーパねじで台形ねじの雌ねじ部を備える。
前記雄ねじ部は、ねじ山頂面、ねじ谷底面、前記雌ねじ部へのねじ込みで先行する挿入フランク面、及びこの挿入フランク面とは反対側の荷重フランク面を備える。
前記雌ねじ部は、前記雄ねじ部の前記ねじ山頂面に対向するねじ谷底面、前記雄ねじ部の前記ねじ谷底面に対向するねじ山頂面、前記雄ねじ部の前記挿入フランク面に対向する挿入フランク面、及び前記雄ねじ部の前記荷重フランク面と対向する荷重フランク面を備える。
前記雄ねじ部の前記荷重フランク面、及び前記雌ねじ部の前記荷重フランク面の各フランク角が０°未満である。
前記雌ねじ部は、前記ボックスの前記シール面に近い側から順に、不完全ねじ部領域、及び完全ねじ部領域に区分される。
前記雌ねじ部の前記ねじ谷底面が、前記不完全ねじ部領域及び前記完全ねじ部領域の全域にわたり、同一のテーパ面上にある。
前記不完全ねじ部領域は、管軸に沿う長さが前記雌ねじ部のねじピッチの３倍以上であって、ねじ高さが前記完全ねじ部領域のねじ高さよりも低くなっている。
このような構成の鋼管用ねじ継手は、
締結状態において、前記各ショルダー面が互いに接触し、前記各シール面が互いに接触する。前記完全ねじ部領域では、前記雄ねじ部の前記ねじ谷底面と前記雌ねじ部の前記ねじ山頂面が互いに接触するとともに、前記荷重フランク面が互いに接触する。前記不完全ねじ部領域では、前記雄ねじ部の前記ねじ谷底面と前記雌ねじ部の前記ねじ山頂面との間に隙間が形成されるとともに、前記荷重フランク面が互いに接触している。【００２６】
上記のねじ継手において、
前記不完全ねじ部領域の管軸に沿う長さが前記雌ねじ部のねじピッチの８倍以下であることが好ましい。【００２７】
また、上記のねじ継手は、
前記不完全ねじ部領域の前記ねじ山頂面が、前記完全ねじ部領域と前記不完全ねじ部領域との境界から管軸に平行な円筒面上にあるか、又は前記境界から管軸に対して傾斜したテーパ面上にある構成とすることができる。【００２８】
この構成に代えて、上記のねじ継手は、
前記不完全ねじ部領域の前記ねじ山頂面が、前記完全ねじ部領域と前記不完全ねじ部領域との境界から前記完全ねじ部領域の前記ねじ山頂面のねじテーパと平行なテーパ面上にある構成とすることができる。【００２９】
また、上記のねじ継手において、
前記雄ねじ部の前記ねじ山頂面が、前記不完全ねじ部領域及び前記完全ねじ部領域の全域にわたり、同一のテーパ面上にある構成とすることができる。【００３０】
また、上記のねじ継手において、
前記ピンは、前記シール面と前記ショルダー面との間にノーズ部を備え、
前記ボックスは、前記ピンの前記ノーズ部に対応する凹部を備え、
締結状態において、前記ピンの前記ノーズ部が前記ボックスの凹部に接触しない構成とすることができる。【００３１】
更に、上記のねじ継手において、
前記ボックスは、前記不完全ねじ部領域と前記シール面との間に円周溝を備え、前記円周溝の管軸に沿う長さが前記雌ねじ部のねじピッチの３倍以下であり、
前記ピンの前記雄ねじ部が前記円周溝の領域まで形成されている構成とすることができる。【００３２】
更に、上記のねじ継手において、
前記ピンは、前記雄ねじ部の後端部及び中間部のうちの少なくとも一方に外圧用シール面を備え、
前記ボックスは、前記ピンの前記外圧用シール面に対応する外圧用シール面を備える構成とすることができる。
【発明の効果】
【００３３】
本発明の鋼管用ねじ継手は、下記の顕著な効果を有する：
外圧に対するシールの密封性能を維持しつつ、内圧に対するシールの密封性能を向上させることができること。
【図面の簡単な説明】
【００３４】
【図１】図１は、鋼管用ねじ継手の全体構成の一例を示す断面図である。
【図２】図２は、特許文献１及び２に開示された従来の鋼管用ねじ継手におけるシール面付近の構成を示す断面図である。
【図３】図３は、特許文献３に開示された従来の鋼管用ねじ継手におけるシール面付近の構成を示す断面図である。
【図４】図４は、本発明の一実施形態である鋼管用ねじ継手におけるシール面付近の構成を示す断面図である。
【図５】図５は、本発明の一実施形態である鋼管用ねじ継手におけるボックス雌ねじ部の形態の一例を示す断面図である。
【図６】図６は、本発明の一実施形態である鋼管用ねじ継手におけるボックス雌ねじ部の形態の別例を示す断面図である。
【図７】図７は、本発明の一実施形態である鋼管用ねじ継手におけるボックス雌ねじ部の形態の更に別例を示す断面図である。
【図８】図８は、本発明の一実施形態である鋼管用ねじ継手におけるシール面付近の構成の変形例を示す断面図である。
【図９】図９は、本発明の一実施形態である鋼管用ねじ継手におけるシール面付近の構成の更なる変形例を示す断面図である。
【図１０】図１０は、本発明の一実施形態である鋼管用ねじ継手の変形例を示す断面図である。
【図１１】図１１は、本発明の一実施形態である鋼管用ねじ継手の更なる変形例を示す断面図である。
【図１２】図１２は、実施例の試験結果を示す図である。
【発明を実施するための形態】
【００３５】
本発明者らは、内圧によるピンの押し上げ効果を利用してシール面の接触面圧を向上させることができるとの着想に基づき、シール面に近い領域でねじの嵌め合い密着の態様を種々変更した有限要素解析を実施し、内圧及び外圧に対する密封性能を評価した。その結果、互いに噛み合うピンの雄ねじ部とボックスの雌ねじ部のうち、ボックスの雌ねじ部に限定し、そのシール面に近いねじ部領域でねじ高さを低くしてねじの嵌め合い密着を緩和するのが有効であることを見出した。以下に、本発明の鋼管用ねじ継手の好ましい実施形態を説明する。
【００３６】
図４は、本発明の一実施形態である鋼管用ねじ継手におけるシール面付近の構成を示す断面図である。本実施形態のねじ継手は、前記図１〜図３に示す従来のねじ継手の構成を基本とし、雄ねじ部１１の荷重フランク面１５、及び雌ねじ部２１の荷重フランク面２４の各フランク角θが、０°未満となっている。すなわち、本実施形態のねじ継手におけるテーパねじは、荷重フランク面がフック状に傾倒した台形テーパねじである。
【００３７】
ボックス２０の雌ねじ部２１は、シール面２６に近い側から順に、不完全ねじ部領域２１ｂ、及び完全ねじ部領域２１ａに区分されている。不完全ねじ部領域２１ｂは、管軸ＣＬに沿う長さが雌ねじ部２１のねじピッチの３倍以上とされている。更に、不完全ねじ部領域２１ｂの雌ねじ部２１は、ねじ高さが完全ねじ部領域２１ａのねじ高さよりも低くなっている。不完全ねじ部領域２１ｂのねじ谷底面２３は、完全ねじ部領域２１ａのねじ谷底面２３と同一のテーパ面上にある。すなわち、雌ねじ部２１のねじ谷底面２３が、両ねじ部領域２１ａ、２１ｂの全域にわたり、同一のテーパ面上にある。
【００３８】
締結状態において、各ショルダー面１７、２７が互いに接触し、各シール面１６、２６が互いに接触する。完全ねじ部領域２１ａ及び不完全ねじ部領域２１ｂのいずれでも、雄ねじ部１１の荷重フランク面１５と雌ねじ部２１の荷重フランク面２４が互いに接触する。ただし、完全ねじ部領域２１ａでは、雄ねじ部１１のねじ谷底面１３と雌ねじ部２１のねじ山頂面２２が互いに接触するのに対し、シール面１６、２６に近い不完全ねじ部領域２１ｂでは、雄ねじ部１１のねじ谷底面１３と雌ねじ部２１のねじ山頂面２２との間に隙間が形成され、ねじの嵌め合い密着が緩和されている。
【００３９】
本実施形態のねじ継手によれば、荷重フランク面のフランク角θが０°未満であるため、内圧負荷時に、ピン１０の荷重フランク面１５にピン１０を押し下げる方向に反力が作用しない。このため、ピン１０の十分な押し上げ効果を得ることができ、内圧負荷時にシール面１６、２６の接触面圧の増幅が期待できる。
【００４０】
ピン１０の雄ねじ部１１は、ボックス２０の不完全ねじ部領域２１ｂにおいても完全ねじ部領域２１ａと同様の形態が確保されている。すなわち、雄ねじ部１１のねじ山頂面１２が、雌ねじ部２１の不完全ねじ部領域２１ｂ及び完全ねじ部領域２１ａの全域にわたり、同一のテーパ面上にある。このため、不完全ねじ部領域２１ｂでピン１０の剛性が確保されるとともに、ねじの噛み合いが十分確保される。これにより、外圧負荷時にピン１０の縮径に対する変形抵抗が高くなり、外圧に対する密封性能を維持できる。しかも、ピン１０の雄ねじ部１１のねじ高さが不完全ねじ部領域２１ｂでも確保されているので、ピン１０をボックス２０に挿入した際に、ねじの噛み合いが安定し、焼付きが生じ難い。
【００４１】
ボックス２０の不完全ねじ部領域２１ｂの長さは、雌ねじ部２１のねじピッチの３倍以上とする。これは以下の理由による。不完全ねじ部領域２１ｂの長さがねじピッチの３倍より短いと、内圧によるピン１０の押し上げ効果が作用する領域が小さくなる。このため、シール面１６、２６の接触面圧を増幅させるほどの十分な押し上げ力が得られない。
【００４２】
ただし、不完全ねじ部領域２１ｂの範囲が長くなるにつれて、ボックス２０の剛性が低下してボックス２０が変形し易くなる。このため、複合荷重下でのシール面１６、２６の接触面圧が低下する。また、実質的なねじの噛み合い面積が減少する。このため、ピン１０がボックス２０から不用意に引き抜ける事態（ジャンプアウト）が生じるおそれがある。したがって、不完全ねじ部領域２１ｂの長さは、最大でもねじピッチの８倍とするのが好ましい。この長さは、より好ましくはねじピッチの６倍以下、更に好ましくはねじピッチの５倍以下とする。
【００４３】
また、本実施形態のねじ継手では、上述のとおり、内圧負荷時にピン１０の押し上げ効果が阻害されないように、雄ねじ部１１の荷重フランク面１５、及び雌ねじ部２１の荷重フランク面２４のフランク角θが０°未満となっている。このフランク角θは、下限を特に規定しないが、ねじ切り加工の実用性を踏まえ、好ましくは−１５°以上、より好ましくは−１０°以上とする。
【００４４】
ボックス２０に設ける雌ねじ部２１（完全ねじ部領域２１ａ及び不完全ねじ部領域２１ｂ）の形態としては、下記（１）〜（３）の形態を適用することができる。
【００４５】
（１）図５は、本発明の一実施形態である鋼管用ねじ継手におけるボックス雌ねじ部の形態の一例を示す断面図である。図５に示す雌ねじ部２１は、不完全ねじ部領域２１ｂのねじ山頂面２２が、完全ねじ部領域２１ａと不完全ねじ部領域２１ｂとの境界から管軸ＣＬに平行な円筒面上にある。このような雌ねじ部２１の形態は、ねじ切り加工前にボックス２０に予め形成しておく下穴の形状を適切に設定することにより、容易に得ることができる。
【００４６】
具体的には、完全ねじ部領域２１ａの下穴として、完全ねじ部領域２１ａのねじ山頂面２２に対応するテーパ面の下穴を設ける。更に、不完全ねじ部領域２１ｂの下穴として、両ねじ部領域２１ａ、２１ｂの境界から管軸ＣＬに平行な円筒面の下穴を設ける。このような下穴に対して、完全ねじ部領域２１ａから不完全ねじ部領域２１ｂまでの全域にわたり、ねじのテーパ角度及びねじピッチを一定にしてねじ切り加工を施せばよい。
【００４７】
（２）図６は、本発明の一実施形態である鋼管用ねじ継手におけるボックス雌ねじ部の形態の別例を示す断面図である。図６に示す雌ねじ部２１は、不完全ねじ部領域２１ｂのねじ山頂面２２が、完全ねじ部領域２１ａと不完全ねじ部領域２１ｂとの境界から管軸ＣＬに対して傾斜したテーパ面上にある。このような雌ねじ部２１の形態を得るためには、完全ねじ部領域２１ａの下穴として、完全ねじ部領域２１ａのねじ山頂面２２に対応するテーパ面の下穴を設ける。更に、不完全ねじ部領域２１ｂの下穴として、両ねじ部領域２１ａ、２１ｂの境界から先端側ほど口広がりとなるテーパ面の下穴を設ける。このような下穴に対して、完全ねじ部領域２１ａから不完全ねじ部領域２１ｂまでの全域にわたり、ねじのテーパ角度及びねじピッチを一定にしてねじ切り加工を施せばよい。
【００４８】
（３）図７は、本発明の一実施形態である鋼管用ねじ継手におけるボックス雌ねじ部の形態の更に別例を示す断面図である。図７に示す雌ねじ部２１は、不完全ねじ部領域２１ｂのねじ山頂面２２が、完全ねじ部領域２１ａと不完全ねじ部領域２１ｂとの境界から完全ねじ部領域２１ａのねじ山頂面のねじテーパと平行なテーパ面上にある。このような雌ねじ部２１の形態を得るためには、完全ねじ部領域２１ａの下穴として、完全ねじ部領域２１ａのねじ山頂面２２に対応するテーパ面の下穴を設ける。更に、不完全ねじ部領域２１ｂの下穴として、両ねじ部領域２１ａ、２１ｂの境界から径方向に一段下がって、完全ねじ部領域２１ａのねじ山頂面２２に対応するテーパ面と平行なテーパ面の下穴を設ける。このような下穴に対して、完全ねじ部領域２１ａから不完全ねじ部領域２１ｂまでの全域にわたり、ねじのテーパ角度及びねじピッチを一定にしてねじ切り加工を施せばよい。
【００４９】
上記（１）、（２）の形態は、完全ねじ部領域２１ａと不完全ねじ部領域２１ｂとの境界でねじ山の段差が生じないという利点がある。一方、上記（３）の形態は、完全ねじ部領域２１ａと不完全ねじ部領域２１ｂとの境界でねじ山の段差が生じるが、不完全ねじ部領域２１ｂにおいて、雄ねじ部１１のねじ谷底面１３と雌ねじ部２１のねじ山頂面２２との間の隙間が一定になることから、その隙間管理が容易であるという利点がある。
【００５０】
なお、不完全ねじ部領域２１ｂにおいて、雄ねじ部１１のねじ谷底面１３と雌ねじ部２１のねじ山頂面２２との間の隙間は、ねじのテーパ角度及び管軸ＣＬに沿った位置によって異なるが、内圧負荷時にピン１０の押し上げ効果が阻害されないように設定される。その隙間は、概ねピン１０の雄ねじ部１１とボックス２０の雌ねじ部２１とのねじ山高さの差（一般的に０．１〜０．２ｍｍ程度）以上あればよい。
【００５１】
その他、本発明は上記の実施形態に限定されず、本発明の趣旨を逸脱しない範囲で、種々の変更が可能である。例えば、図８に示すように、ピン１０は、シール面１６とショルダー面１７との間に先端側に向けて伸び出すノーズ部１８を備え、ボックス２０は、ピン１０のノーズ部１８に対応する凹部２８を備える構成を採用することができる。この場合、締結状態において、ピン１０のノーズ部１８はボックス２０の凹部２８に接触しない構成となる。このような構成のねじ継手では、ノーズ部１８の設置により、ピン１０の剛性が向上する。このため、外圧に対する密封性能が大幅に向上する。
【００５２】
また、図９に示すように、ボックス２０は、不完全ねじ部領域２１ｂとシール面２６との間に円周溝２９を備え、ピン１０の雄ねじ部１１が円周溝２９の領域まで形成されている構成を採用することができる。この円周溝２９は、ねじ部にドープ（潤滑剤）が過剰に塗布された場合にドープを収容し、これにより、ドープ圧の異常上昇を抑制してシール面１６、２６の接触面圧の低下を防ぐ効果をもたらす。この場合、円周溝２９の管軸ＣＬに沿う長さは、雌ねじ部２１のねじピッチの３倍以下とする。これは以下の理由による。
【００５３】
上記の不完全ねじ部領域２１ｂに加え、円周溝２９の長さが長いほど、内圧によるピン１０の押し上げ効果が作用する領域が増加し、シール面１６、２６の接触面圧が増幅される。ただし、円周溝２９の長さが長すぎると、ねじの噛み合い面積の減少により、外圧に対する密封性能が低下する傾向になる。円周溝２９の長さがねじピッチの３倍以下であれば、外圧に対する密封性能への悪影響はほとんどない。
【００５４】
また、本実施形態のねじ継手は、ねじ部領域の先端側にのみシール面１６、２６を備えたものである。もっとも、そのシール面１６、２６とは別個に、ねじ部領域の後端部又は中間部に、外圧に対する密封性能を確保するための外圧用シールを設けても構わない。
【００５５】
具体的には、図１０に示すように、ピン１０は、雄ねじ部２１の後端部に外圧用シール面１６Ａを備え、ボックス２０は、その外圧用シール面１６Ａに対応する外圧用シール面２６Ａを備える構成とすることができる。また、図１１に示すように、ピン１０は、ねじ部２１の中間部に外圧用シール面１６Ｂを備え、ボックス２０は、その外圧用シール面１６Ｂに対応する外圧用シール面２６Ｂを備える構成とすることができる。図１０に示す後端部の外圧用シール面１６Ａ、２６Ａと、図１１に示す中間部の外圧用シール面１６Ｂ、２６Ｂを並設することもできる。このような外圧用シール面１６Ａ、２６Ａ、１６Ｂ、２６Ｂを備えるねじ継手において、何らかの理由で外圧が外圧用シール面１６Ａ、２６Ａ、１６Ｂ、２６Ｂを超えて内圧用シール面１６、２６まで浸透した場合でも、内圧用シール面１６、２６が外圧に対して密封性能を補う。
【００５６】
また、本実施形態のねじ継手は、インテグラル方式及びカップリング方式のいずれにも適用することができる。
【実施例】
【００５７】
本発明による効果を確認するため、弾塑性有限要素法による数値シミュレーション解析を実施した。【００５８】
＜試験条件＞
ＦＥＭ解析では、カップリング方式の油井管用ねじ継手について、ねじ部領域の長さを種々変更したモデルを作製した。共通の条件は下記のとおりである。
・鋼管の寸法：８−５／８［ｉｎｃｈ］、６４［ｌｂ／ｆｔ］（外径が２１９．１ｍｍ、肉厚が１９．０５ｍｍ）
・カップリングの外径：２３５．８ｍｍ
・鋼管（ピン）及びカップリング（ボックス）のグレード：ＡＰＩ（American Petroleum Institute（アメリカ石油協会））規格のＱ１２５（降伏応力が１２５［ｋｓｉ］の炭素鋼）
・ねじ形状：テーパが１／１８、ねじ高さが１．５７５［ｍｍ］、ねじピッチが５．０８［ｍｍ］、荷重フランク面のフランク角が−３°、挿入フランク面のフランク角が１０°、挿入フランク面すき間が０．１５［ｍｍ］【００５９】
ＦＥＭ解析では、材料を等方硬化の弾塑性体とした。弾性係数は２１０［ＧＰａ］とし、０．２％耐力としての公称降伏強度は１２５［ｋｓｉ］（＝８６２［ＭＰａ］）とした。締め付けは、ピンとボックスのショルダー面が接触してから更に１．０／１００回転した状態まで行った。【００６０】
変更した寸法条件は下記の表１のとおりである。【００６１】
【表１】
2015105054.tif 000003
【００６２】
試験Ｎｏ．１〜５は、前記図８に示すねじ継手に基づくものであり、ボックスに円周溝が設けられていない。そのうちの試験Ｎｏ．１〜３は、ボックスの不完全ねじ部領域の長さが本発明で規定する範囲（ねじピッチの３倍以上）を満たさない比較例である。試験Ｎｏ．４及び５は、不完全ねじ部領域の長さが本発明で規定する範囲を満たす本発明例である。【００６３】
試験Ｎｏ．６〜１２は、前記図９に示すねじ継手に基づくものであり、ボックスに円周溝が設けられている。そのうちの試験Ｎｏ．６及び７は、ボックスの不完全ねじ部領域の長さが本発明で規定する範囲を満たさない比較例である。試験Ｎｏ．８〜１２は、不完全ねじ部領域の長さが本発明で規定する範囲を満たす本発明例である。【００６４】
＜評価方法＞
ＦＥＭ解析では、締結状態のモデルにＩＳＯ１３６７９  Ｓｅｒｉｅｓ  Ａ試験を模擬した荷重履歴を負荷した。その履歴の内圧サイクル（第一、第二象限）及び外圧サイクル（第三、第四象限）におけるシール面の平均接触面圧の最小値（この値が高いほどシール面の密封性能が良いことを意味する）を比較することにより、シール面の密封性能を評価した。その評価は、試験Ｎｏ．１における内圧に対する密封性能及び外圧に対する密封性能をそれぞれ１とし、この試験Ｎｏ．１に対する比率で行った。評価基準として、内圧に対する密封性能は１．２以上を必要とし、外圧に対する密封性能は０．８５以上を必要とした。【００６５】
更に、ねじの噛み合い面積を算出し、その噛み合い面積を比較することにより、耐ジャンプアウト性を評価した。その評価は、試験Ｎｏ．１における噛み合い面積を１とし、この試験Ｎｏ．１に対する比率で行った。評価基準として、噛み合い面積は最低でも０．５５以上を必要とし、望ましくは０．７以上を必要とした。【００６６】
そして、シール面の密封性能が評価基準を満たすとともに、噛み合い面積が０．５５以上のものを「○：良」とし、更に、噛み合い面積が０．７以上のものを「◎：優」とした。シール面の密封性能及び噛み合い面積のいずれか一方が評価基準を満たさないものは、「△：不可」とした。【００６７】
＜試験結果＞
試験結果を上記の表１及び下記の図１２に示す。【００６８】
比較例である試験Ｎｏ．２、３及び６では、不完全ねじ部領域の長さが短く、ピンの押し上げ効果が十分得られなかった。このため、内圧に対する密封性能の改善が認められなかった。【００６９】
本発明例である試験Ｎｏ．４及び５では、十分なピンの押し上げ効果が得られ内圧に対する密封性能が２０％以上向上し、且つ外圧に対する密封性能が高く維持された。【００７０】
比較例である試験Ｎｏ．７では、内圧に対する密封性能が向上した。しかし、円周溝の長さが長すぎて、シール面の近傍でねじの噛み合いがなくなり、外圧負荷時のピンの縮径が大きくなった。このため、外圧に対する密封性能が２５％も低下した。【００７１】
本発明例である試験Ｎｏ．８〜１２では、内圧に対する密封性能の向上に加え、円周溝によるドープ圧の異常上昇の抑制効果を得ることができた。【００７２】
本発明例である試験Ｎｏ．４、５、８〜１２のいずれも、ボックスの不完全ねじ部領域の長さがねじピッチの３倍以上で且つ６倍以下であり、０．５５以上のねじの噛み合い面積が確保された。このため、高い耐ジャンプアウト性が期待できる。その中でも試験Ｎｏ．４、５、８、９は、ボックスの不完全ねじ部領域の長さがねじピッチの３倍以上で且つ５倍以下であり、かみ合い面積が大きく、最も好適であった。【００７３】
以上の結果から、本発明の鋼管用ねじ継手は、内圧及び外圧に対する密封性能が優れることが実証できた。
【産業上の利用可能性】
【００７４】
本発明のねじ継手は、過酷な環境で油井管として用いられる厚肉鋼管の連結に有効に利用できる。
【符号の説明】
【００７５】
１０：ピン、  １１：雄ねじ部、
１２：雄ねじ部のねじ山頂面、  １３：雄ねじ部のねじ谷底面、
１４：雄ねじ部の挿入フランク面、  １５：雄ねじ部の荷重フランク面、
１６：ピンの内圧用シール面、
１６Ａ、１６Ｂ：ピンの外圧用シール面、
１７：ピンのショルダー面、  １８：ノーズ部、
２０：ボックス、  ２１：雌ねじ部、
２２：雌ねじ部のねじ山頂面、  ２３：雌ねじ部のねじ谷底面、
２４：雌ねじ部の荷重フランク面、  ２５：雌ねじ部の挿入フランク面、
２１ａ：完全ねじ部領域  ２１ｂ：不完全ねじ部領域、
２６：ボックスの内圧用シール面、
２６Ａ、２６Ｂ：ボックスの外圧用シール面、
２７：ボックスのショルダー面、  ２８：凹部、  ２９：円周溝、
θ：荷重フランク面のフランク角、  ＣＬ：管軸
【図１】
2015105054.tif 000004
【図２】
2015105054.tif 000005
【図３】
2015105054.tif 000006
【図４】
2015105054.tif 000007
【図５】
2015105054.tif 000008
【図６】
2015105054.tif 000009
【図７】
2015105054.tif 000010
【図８】
2015105054.tif 000011
【図９】
2015105054.tif 000012
【図１０】
2015105054.tif 000013
【図１１】
2015105054.tif 000014
【図１２】
2015105054.tif 000015
【国際調査報告】
2015105054.tif 000016
2015105054.tif 000017
2015105054.tif 000018
2015105054.tif 000019